(57)【要約】  包絡線追跡増幅段の包絡線被変調電源を制御する方法が開示され、方法は、増幅される信号の包絡線を表す包絡線信号を生成するステップ、整形された包絡線信号を生成するために包絡線信号にシェーピング関数を適用するステップであって、高い入力包絡線値において整形された包絡線信号をクリッピングすることを含むステップ、および包絡線被変調電源への入力信号として整形された包絡線信号を提供するステップとを含む。【選択図】図８
2015507898.tif 000002
【特許請求の範囲】
【請求項１】
包絡線追跡増幅段の包絡線被変調電源への入力を制御する方法であって、
ａ．増幅される信号の包絡線を表す包絡線信号を生成するステップと、
ｂ．整形された包絡線信号を生成するために、前記包絡線信号にシェーピング関数を適用するステップであって、
ｉ．高い入力包絡線値において整形された包絡線信号をクリップすることを含む、ステップと、
ｃ．前記包絡線被変調電源への入力信号として、前記整形された包絡線信号を提供するステップと、
を備える方法。
【請求項２】
前記整形された包絡線にクリッピングを導入するステップは、前記増幅器出力信号のクレストファクタの低減をもたらす、請求項１に記載の方法。
【請求項３】
前記整形された包絡線にクリッピングを導入するステップは、平均電力の増大および電力増幅器効率の向上をもたらす、請求項２に記載の方法。
【請求項４】
前記クリッピングのシャープネスを調整するステップをさらに備える、請求項１から３のいずれか１項に記載の方法。
【請求項５】
前記整形された包絡線信号のクリッピングレベルは、送信機平均電力に依存して調整される、請求項１に記載の方法。
【請求項６】
前記送信機平均電力が低減されると、前記整形された包絡線信号のクリッピングレベルは低減される、請求項１に記載の方法。
【請求項７】
前記整形された包絡線にクリッピングを導入するステップは、整形テーブルへの入力、および／または整形テーブルからの出力をスケーリングすることを備える、請求項５または６のいずれか１項に記載の方法。
【請求項８】
前記整形された包絡線にクリッピングを導入するステップは、既存のシェーピング関数を修正されたシェーピング関数に置き換えることを備える、請求項５または６のいずれか１項に記載の方法。
【請求項９】
包絡線被変調電源を備える包絡線追跡増幅段を制御する方法であって、
ａ．前記包絡線被変調電源を制御するために前記包絡線信号を整形することの一部として包絡線信号に適用されるクリッピングレベルを決定するステップ、
を備える方法。
【請求項１０】
前記クリッピングレベルのシャープネスを決定するステップをさらに備える、請求項９に記載の方法。
【請求項１１】
前記クリッピングレベルは、周波数歪要求を上回ることなく適用可能な最低クリッピングレベルである、請求項９または１０に記載の方法。
【請求項１２】
包絡線被変調電源および増幅器を含む包絡線追跡増幅段であって、
ａ．整形された包絡線信号を生成するよう増幅された信号の包絡線を表す信号にシェーピング関数を適用するための整形テーブルを備え、前記整形テーブルは、高い入力包絡線値において前記整形された包絡線信号をクリップするよう適合される、
包絡線追跡増幅段。
【請求項１３】
前記整形された包絡線へのクリッピングの導入は、前記増幅器出力信号のクレストファクタの低減をもたらす、請求項１２に記載の包絡線追跡増幅段。
【請求項１４】
前記整形された包絡線へのクリッピングの導入は、平均電力の増大および電力増幅器効率の向上をもたらす、請求項１３に記載の包絡線追跡増幅段。
【請求項１５】
前記整形テーブルは、前記クリッピングのシャープネスを調整するようにさらに適合される、請求項１２から１４のいずれか１項に記載の包絡線追跡増幅段。
【請求項１６】
前記整形テーブルは、前記送信機平均電力に依存して前記整形された包絡線信号のクリッピングレベルを調整するように適合される、請求項１５に記載の包絡線追跡増幅段。
【請求項１７】
前記整形テーブルは、前記送信機平均電力が低減されると、前記整形された包絡線信号のクリッピングレベルを調整するように適合される、請求項１５に記載の包絡線追跡増幅段。
【請求項１８】
前記整形テーブルへの入力、および／または前記整形テーブルからの出力をクリップするためのスケーリングブロックをさらに備える、請求項１６または１７のいずれか１項に記載の包絡線追跡増幅段。
【請求項１９】
既存のシェーピング関数を修正されたシェーピング関数に置き換えるように適合される、請求項１６または１７のいずれか１項に記載の包絡線追跡増幅段。
【発明の詳細な説明】
【技術分野】
【０００１】
本発明は、非定包絡線信号の効率的な増幅を達成するための技術に関する。本発明は詳細には、包絡線信号を整形するためにシェーピング関数を組み込んだ、増幅用包絡線追跡電源の使用に関する。
【０００２】
本発明は詳細には、但し限定はされないが、高周波（ＲＦ）信号の増幅に関する。
【背景技術】
【０００３】
現代の通信システムの多くは通常、高いスペクトル効率を達成するために非定包絡線変調技術を用いる。隣接する通信チャネルへのスペクトル拡散を避けるために、高線形のＲＦ増幅が要求される。従来の固定バイアス増幅器は、それのピーク電力能力よりはるかに小さい電力で正常に動作するように、その増幅器を「バックオフする」ことによって要求される線形性を達成できるにすぎない。残念なことに、この領域におけるＤＣ―ＲＦ電力変換効率は非常に低い。結果として、これらの設計は、かなりの熱を放散し、移動式用途で使用されるとバッテリーの駆動時間を短くする。
【０００４】
バッテリーの駆動時間を最長化することは、例えば移動式無線機器において極めて重要である。多くの高スペクトル効率の通信基準では、移動式送信機はほとんどの時間、最大電力よりかなり小さい電力で動作する。これには２つの理由がある。第１には、電力制御は一般に、確実な通信に要求される最小レベルまで平均送信電力を低減するために使用されるからであり、第２には、多くの新しい変調方式は高いピーク対平均電力比を有するからである。したがって、電力増幅器がほとんど常に動作する場合には、電力増幅器が最大電力よりかなり小さい電力で高効率を維持することが重要である。
【０００５】
増幅器効率を向上させるための公知の技術である「包絡線追跡」（ＥＴ）は、入力ＲＦ信号の包絡線に実質的に沿った供給電圧を変調するために電源変調器（ｓｕｐｐｌｙ  ｍｏｄｕｌａｔｏｒ）を使用する。最高の全体効率を達成するためには、電源変調器自体の効率も高くなければならず、変調器にはスイッチング方式のＤＣ−ＤＣコンバータの使用が要求される。電源変調器の設計は、増幅器のシステム性能にとって極めて重要である。変調器はまた、高効率を達成することに加えて、高帯域幅のＣＤＭＡ（符号分割多重アクセス）またはＯＦＤＭ（直交周波数分割多重）変調方式を通常使用しかつまた高い変調精度が要求される現代の通信用途において有益であるよう、高帯域幅、高線形性および低ノイズを呈示しなければならない。
【０００６】
改良された線形化アプローチは、ＲＦ増幅器から定ゲインを得るよう電圧マッピング（またはシェーピング）関数を実行するために包絡線電圧を使用し、これにより歪補償またはフィードバックの必要性を低減する。包絡線電圧と供給電圧の間のマッピング（またはシェーピング）関数は、連続関数を使用することができ、包絡線電圧は供給電圧の情報から一意的に算出されうる。
【発明の概要】
【発明が解決しようとする課題】
【０００７】
本発明の１つの目的は、被変調電源に提供された包絡線信号を整形するためにシェーピング関数が使用される改良された包絡線追跡電力増幅器配置を提供することである。
【課題を解決するための手段】
【０００８】
本発明によれば、包絡線追跡増幅段の包絡線被変調電源への入力を制御する方法が提供され、本方法は、増幅される信号の包絡線を表す包絡線信号を生成するステップ、整形された包絡線信号を生成するために包絡線信号にシェーピング関数を適用するステップであって、高い入力包絡線値において整形された包絡線信号をクリップすることを含むステップ、および包絡線被変調電源への入力信号として整形された包絡線信号を提供するステップとを備える。
【０００９】
整形された包絡線にクリッピングを導入するステップは、好ましくは増幅器出力信号のクレストファクタの低減をもたらす。整形された包絡線にクリッピングを導入するステップは、好ましくは平均電力の増大および電力増幅器効率の向上をもたらす。
【００１０】
本方法はさらに、クリッピングのシャープネスを調整するステップを備えうる。
【００１１】
整形された包絡線信号のクリッピングレベルは、送信機平均電力に依存して調整されうる。
【００１２】
送信機平均電力が低減されると、整形された包絡線信号のクリッピングレベルは低減されうる。
【００１３】
整形された包絡線にクリッピングを導入するステップは、整形テーブルへの入力、および／または整形テーブルからの出力をスケーリングすることを備えうる。
【００１４】
整形された包絡線にクリッピングを導入するステップは、既存のシェーピング関数を修正されたシェーピング関数に置き換えることを備えうる。
【００１５】
本発明はさらに、包絡線被変調電源を備える包絡線追跡増幅段を制御する方法を提供し、本方法は、包絡線被変調電源を制御するために包絡線信号を整形することの一部として包絡線信号に適用されるクリッピングレベルを決定するステップを備える。
【００１６】
本方法はさらに、クリッピングレベルのシャープネスを決定するステップを備えうる。
【００１７】
クリッピングレベルは、周波数歪要求を上回ることなく適用可能な最低クリッピングレベルでありうる。
【００１８】
本発明はまた、包絡線被変調電源および増幅器を含む包絡線追跡増幅段を提供し、増幅段は、整形された包絡線信号を生成するよう増幅された信号の包絡線を表す信号にシェーピング関数を適用するための整形テーブルを備え、整形テーブルは、高い入力包絡線値において整形された包絡線信号をクリップするように適合される。
【００１９】
整形された包絡線へのクリッピングの導入は、増幅器出力信号のクレストファクタの低減をもたらす。
【００２０】
整形された包絡線へのクリッピングの導入は、好ましくは平均電力の増大および電力増幅器効率の向上をもたらす。
【００２１】
整形テーブルはさらに、クリッピングのシャープネスを調整するように適合されうる。
【００２２】
整形テーブルは、送信機平均電力に依存して整形された包絡線信号のクリッピングレベルを調整するように適合されうる。
【００２３】
整形テーブルは、送信機平均電力が低減されると、整形された包絡線信号のクリッピングレベルを調整するように適合されうる。
【００２４】
包絡線追跡増幅段はまた、整形テーブルへの入力、および／または整形テーブルからの出力をクリップするためのスケーリングブロックをさらに備えうる。
【００２５】
包絡線追跡増幅段は、既存のシェーピング関数を修正されたシェーピング関数に置き換えるように適合されうる。
本発明はここで、添付の図面を参照して記述される。
【図面の簡単な説明】
【００２６】
【図１】本発明による改良およびそれの実施形態が実施されうる１つの例示的な増幅システムを示す。
【図２】２（ａ）および２（ｂ）は、例示的な線形および非線形増幅器のための出力電力に対する入力電力のプロットを示す。
【図３】３（ａ）、３（ｂ）、３（ｃ）は、例示的な信号のスペクトル特性を示す。
【図４】４（ａ）および４（ｂ）は、例示的な増幅器に関する出力電力に対する効率および信号確率密度関数のプロットを示す。
【図５】例示的なシェーピング関数を示す。
【図６】本発明が実施される１つの例示的な包絡線追跡電力増幅器のゲインを示す。
【図７】１つの例示的な実施形態による図１の増幅システムの修正を示す。
【図８】フルパワーおよびバックオフパワーにおける本発明のシェーピング関数の比較を示す。
【図９】本発明が実施されるバックオフパワーにおいて動作する１つの例示的な包絡線追跡電力増幅器の確率密度関数を示す。
【発明を実施するための形態】
【００２７】
本発明は、ここに例示的な配置を参照して実施例として記述される。本発明は、別段の表示がない限り、任意の記述された配置の詳細に限定されない。例示的な配置の態様は異なる組合せにおいて実施可能であり、本発明は、説明のために例示的に提示された特徴の特定の組合せに限定されない。
【００２８】
図１は、本発明の実施形態による改良が実施されうる、１つの例示的な包絡線追跡高周波(ＲＦ)電力増幅器システム１００を示す。包絡線追跡電力増幅器システム１００は、電力増幅器１０２、アップコンバータ１０４、包絡線検波器１０６、整形テーブル１０８、および包絡線被変調電源１１０を含む。
【００２９】
ライン１１２上の入力Ｉ／Ｑ信号は、アップコンバータ１０４への入力を形成し、アップコンバータ１０４はライン１２２上にＲＦ電力増幅器用のＲＦ入力信号を生成する。入力Ｉ／Ｑ信号の瞬時電力は、ＰＩＮで示される。ライン１１２上の入力Ｉ／Ｑ信号はまた、包絡線検波器１０６への入力を形成し、包絡線検波器１０６は、ライン１１６上にそれの出力において入力Ｉ／Ｑ信号の包絡線を表す包絡線信号を生成する。包絡線検波器１０６はさらに、図１の配置に示されるように、１０７上に整形テーブル１０８への制御信号をライン１０７上に生成しうる。別の配置では、整形テーブル用のこの制御信号は、ベースバンド処理回路（図示せず）から直接提供されうる。ライン１１６上の包絡線信号は、整形テーブル１０８への入力として提供される。ライン１１８上の整形テーブルの出力は、包絡線被変調電源への入力を提供し、包絡線被変調電源はその入力に依存してライン１２０上にＲＦ電力増幅器への供給電圧を提供する。ＲＦ電力増幅器は、ライン１１４上にそれの出力において増幅されたＲＦ出力信号を生成する。ＲＦ出力信号の瞬時電力は、Ｐｏｕｔで示される。
【００３０】
アップコンバータ１０４は、ライン１１２上の入力Ｉ／Ｑ信号を増幅用ＲＦ信号に変換する。包絡線検波器は、ライン１１２上のＩ／Ｑ信号を受け取り、それの出力において入力信号の包絡線を表す包絡線信号を生成、すなわち、包絡線信号の振幅を表す信号を提供する。
【００３１】
包絡線被変調電源１１０の実施は本発明の範囲外であり、当業者はそれが種々の方法で実施されうることを理解するであろう。通常、包絡線被変調電源１１０は、整形テーブルによって提供された包絡線信号の瞬時振幅に依存して複数の供給電圧のうちの１つが選択されうるスイッチング式電圧供給を含む。効率的な増幅方式では、選択された供給電圧は次に、瞬時包絡線信号をより正確に表すようさらに調整された後、供給電圧としてＲＦ電力増幅器に提供されうる。本発明は、包絡線被変調電源の任意特定の実施に限定されない。
【００３２】
電力増幅器１０２は、単段増幅器として、または多段増幅器として実施されうる。
【００３３】
整形テーブル１０８は、包絡線信号を整形するための機能ブロックであり、ライン１１８上に整形された包絡線信号を提供するために、ライン１１６上の包絡線信号にシェーピング関数を適用する。適用されるシェーピング関数は、図の例示的な配置では、ライン１０７上で包絡線検波器から受取った制御信号によって決定される。制御信号は、複数のシェーピング関数のうち包絡線信号に適用されるシェーピング関数を決定しうる。制御信号は単に、ライン１１２上のＩ／Ｑ入力信号の平均電力を表す信号でありうる。包絡線信号の整形は、電力増幅器１０２の効率および線形に影響を及ぼす。
【００３４】
増幅段１００は、特定のシステムの目的に合わせるために、所与の入力（Ｉ／Ｑ）信号レベルに対する最適な瞬時供給電圧レベルを決定するよう前動作局面（ｐｒｅ−ｏｐｅｒａｔｉｏｎ ｐｈａｓｅ）において特性化される。
【００３５】
増幅段１００のこの特性化は、増幅段の複数のパワー掃引を要求しうる。この特性化は、供給電圧、バイアス電圧、ＲＦゲイン、ＲＦ位相、供給電流、ＲＦ入力電力、およびＲＦ出力電力を含む、種々の電力増幅器パラメータの測定を含みうる。
【００３６】
一般に、特定の性能特性または目的を決定するために必要な、装置のパラメータが測定される。例えば、増幅段のゲインを最適化することが所望される場合には、ゲインを決定するために必要なパラメータが異なる入力（包絡線）信号と供給電圧の組合せに対して測定される。
【００３７】
所与の増幅段に対する測定データベースは、したがって特性化処理の後に確立されうる。もたらされた測定データベースは、瞬時入力パラメータおよびシェーピング関数の選択に基づいて、装置の動作可能なシステム性能を予測するために使用されうる。使用時には、増幅器への入力信号の平均電力のような増幅器への入力信号の特性に依存して、特性化動作において取得されたデータは問合せされて（ｉｎｔｅｒｒｏｇａｔｅｄ）、包絡線被変調電源への整形された包絡線信号が決められた性能特性を満たすために確実に最適化されるよう、入力信号に適用するための最適なシェーピング関数を決定する。
【００３８】
増幅器段の特性化は、多くの方法で実行されうるものであり、本発明は特定の特性化技術に限定されない。最も都合よくは、特性化は自動試験装置を使用して実行されうる。
【００３９】
図２（ａ）は、線形増幅器に関し、瞬時入力電力、ＰＩＮ、に対する瞬時出力電力、ＰＯＵＴ、のプロット２０２を示す。図２（ａ）はまた、増幅器への入力信号の確率密度関数のプロット２０４を示す。入力信号のクレストファクタＰＩＮ（ＰＫ）／ＰＩＮ（ＡＶ）（すなわち、ピーク入力電力対平均入力電力の比）および出力信号のクレストファクタＰＯＵＴ（ＰＫ）／ＰＯＵＴ（ＡＶ）（すなわち、ピーク出力電力対平均出力電力の比）は、このような線形増幅器において同じである。
【００４０】
図２（ｂ）は、高出力において圧縮を呈示する増幅器に関し、瞬時入力電力、ＰＩＮ、に対する瞬時出力電力、ＰＯＵＴ、のプロット２０６を示す。出力信号のクレストファクタ、ＰＯＵＴ（ＰＫ）／ＰＯＵＴ（ＡＶ）、は、ここでは入力信号のクレストファクタ、ＰＩＮ（ＰＫ）／ＰＩＮ（ＡＶ）、より低い。非線形増幅器は、したがって線形増幅器配置と比較して入力信号のクレストファクタを低減させており、クレストファクタ低減（ＣＦＲ）を実施したと考えられる。
【００４１】
圧縮という用語は、次のように理解されうる。図２（ｂ）に示されるように、出力電力がレベルＰｏｕt（ＰＫ）に達すると、入力電力が増大しても出力電力はそれ以上増大せず、そのとき増幅器は圧縮状態にある。増幅器の動作の圧縮領域では、増幅器の出力電力は供給電圧に依存する。増幅器の動作の線形領域では、増幅器は増幅器への入力電力に依存する。
【００４２】
上述の原理は、従来の固定式供給増幅器並びに包絡線追跡増幅器を含む任意の増幅器システムに適用する。固定式供給増幅器の場合は、圧縮特性は、主に増幅器技術の基本特性（例えば、ＣＭＯＳ、バイポーラ等）により決定され、増幅器の設計者が圧縮特性の形状に与える影響の範囲は限られている。
【００４３】
本発明による包絡線追跡増幅器に関し、装置の特性化により取得されたデータは、高い瞬時出力電力において制御された振幅圧縮を与えるシェーピング関数を導くために使用される。
【００４４】
固定式供給増幅器と異なり、包絡線追跡増幅器の圧縮特性の形状は、包絡線整形テーブルにより直接制御可能であり、「ソフトプログラマブル」であるとみなされうる。例えば、整形テーブル値は、一定の増幅器ゲインを達成するように、または高出力においてゲイン圧縮を達成するように選択されうる。
【００４５】
圧縮特性の形状が「プログラマブル」であるため、もたらされる電力増幅器歪の周波数領域特性も制御されうる。
【００４６】
これらの考察を示すために、図３（ａ）は、最良の線形増幅器のスペクトル特性を示す。図３（ｂ）は、ソフト圧縮特性を有する増幅器のスペクトル特性を示し、図３（ｃ）は、ハード圧縮特性を有する増幅器のスペクトル特性を示す。ソフト圧縮はＲＦキャリアに近い低次の歪をもたらし、一方、ハード圧縮はより広い帯域幅にわたって歪を拡散する。
【００４７】
ソフト圧縮はソフトクリッピングによって達成され、ハード圧縮はハードクリッピングによって達成される。ＰＡ（電力増幅器）供給電圧のクリッピングレベルは、図５のトレース２１６で示される。シェーピング関数２１４は、クリッピングレベルに到達すると、入力電力の上昇に対して供給電圧はそれ以上に上昇しないことを示す。ソフトクリッピングの場合は、中出力におけるシェーピング関数のクリップされていない領域から高出力におけるシェーピング関数のクリップされた領域への推移は、段階的である。ハードクリッピングの場合は、この推移は急激である。
【００４８】
整形テーブルを介して周波数領域歪特性を制御する能力は、規制のトランスミットエミッション要求および効率性のようなキ―システムのパラメータ間のトレードオフの制御を可能にするため、有益である。これにより、クレストファクタ低減を使用して増幅器の効率を向上させることが可能になる。クレストファクタ低減量およびクリッピング特性の形状は、送信機スペクトルエミッション要求を満たしつつ効率性を最大化するよう最適化されうる。
【００４９】
効率のピーク対平均電力比（ＰＡＰＲ）への依存が、ここで図４（ａ）および４（ｂ）を参照して説明される。
【００５０】
図４（ａ）および４（ｂ）の参照数字２１１で示されたトレースは、種々の固定供給電圧におけるＲＦ増幅器の出力電力に対する効率を示す。図４（ａ）および４（ｂ）のトレース２１０は、供給電圧が瞬時ＲＦ電力を動的に追跡する包絡線追跡ＲＦ増幅器の出力電力に対する効率を示す。
【００５１】
図４（ａ）のトレース２１２は、代表的な３Ｇ／４Ｇ波形の確率密度を示す。図４（ａ）では、整形テーブルの値は、線形振幅応答を達成するように選択される。クリッピングは生ぜず、信号のクレストファクタは、Ｐｐｋ／Ｐａｖｇ１である。
【００５２】
図４（ｂ）では、整形テーブルの値は、ソフトクリッピングを意図的に導入するように選択される。出力の確率密度関数は、トレース２１３で示される。図４（ｂ）の増幅器のピーク電力は、図４（ａ）のものと同じであるが、ピークは、より頻繁に生じる。図４（ｂ）の増幅器の平均電力Ｐａｖｇ２は、図４（ａ）の増幅器の平均電力Ｐａｖｇ１より高く、したがってクレストファクタＰｐｋ／Ｐａｖｇ２は低減される。
【００５３】
図４（ｂ）の増幅器の平均効率Ｅａｖｇ２は図４（ａ）の増幅器の平均効率Ｅａｖｇ１より高いことがわかる。
【００５４】
図５は、入力電力を電力増幅器供給電圧にマッピングする１つの例示的なシェーピング関数２１４を示す。クリッピングレベル２１６が示されており、これは上述の図２（ｂ）のような配置と関連するクリッピングを表し、クレストファクタ低減を達成するため、図３（ｂ）または３（ｃ）のスペクトル特性を提供する。結果としてもたらされる電力増幅器ＡＭ／ＡＭ（ゲイン）特性は、図６に示される。
【００５５】
このように、本発明によれば、クレストファクタ低減は、適切な整形テーブル値を選択することによって実施されうる。クレストファクタ低減の実施には、ソフトクリッピングまたはハードクリッピングが使用されうる。装置の特性化は、周波数領域内のスペクトル歪に関する規制の要求の順守に従い、（平均電力を増大させるよう）取得されうる可能な最低クレストファクタ低減を決定するために、クレストファクタのクリッピングのレベル（すなわち、クレストファクタ低減の範囲）並びにクリッピング（ソフト／ハード）のシャープネスを変化させることを含みうる。
【００５６】
さらに、整形テーブルを使用してクレストファクタ低減を実施することは電力増幅器効率を向上させることが示される。
【００５７】
本発明によれば、電力増幅器特性化データベースは、所望のシステムの目的に合った最適なシェーピング関数を決定するために使用される。クレストファクタを低減することによって、制御されたかつ意図的な量の歪の導入は不可避である。これは規制の限度が順守されれば容認できる。規制の限度は、クレストファクタ低減が適用されうる範囲を決定しうる。
【００５８】
整形テーブルはまた、最大電力からバックオフされた信号にクレストファクタ低減を適用するために随意に使用されうる。これは、整形テーブル値を直接置き換えるか、または図７の１つの例示的な実施形態に示されたように、整形テーブルの入力および／または出力とスケールファクタを乗じることにより、実施されうる。この実施形態では、ルックアップテーブル内の値は変更されず、ライン１０７上の平均入力は、整形制御ブロック１１３により、ライン１１７および１２１上のルックアップテーブル１１１の入力および出力スケーリングファクタＭ１およびＭ２にマッピングされる。スケーリングファクタＭ１およびＭ２は、ルックアップテーブル１１１への入力およびルックアップテーブル１１１からの出力をスケーリングする乗算器１１５および１１９を制御するために使用される。
【００５９】
別の配置では、整形テーブル１０８値は、ライン１０７上の信号によって示された平均入力電力に依存して直接更新されうる。更新された整形テーブル値は、ＰＡ特性化データベースにより決定される。
【００６０】
図８は、当初のシェーピング関数２１４および更新されたシェーピング関数２１９を示す。更新されたシェーピング関数は、低電力レベルにおいてソフトクリッピングを導入し、また適用された最低の電力増幅器電圧を随意に引き下げうる。更新されたシェーピング関数は、電力増幅器の規制のトランスミットスペクトル放出限度の順守を可能にしつつ、電力増幅器および供給変調器のバックオフ効率を向上させる。
【００６１】
図９のトレース２２０は、更新されたシェーピング関数（例えば、図８の２１９）が使用される包絡線追跡電力増幅器の確率密度関数を示す。
【００６２】
本発明は、任意の包絡線追跡増幅器アーキテクチャにおいて実施されうる。このようなアーキテクチャは、移動通信システムにおいて、無線インフラ送信機やＴＶ送信機において、または移動電話装置（携帯電話）において見受けられうる。
【００６３】
本発明は、特定の実施例および実施形態を参照してここに記述され、その記述は本発明の理解および好ましい実施の理解に対して有益である。しかし、本発明は、任意の所与の実施形態および任意の実施形態の詳細に相互排他的に限定されない。本発明の範囲は、添付の請求項によって定義される。
【符号の説明】
【００６４】
１００・・・包絡線追跡電力増幅器システム
１０２・・・電力増幅器
１０４・・・アップコンバータ
１０６・・・包絡線検波器
１０８・・・整形テーブル
１１０・・・包絡線被変調電源
１１１・・・ルックアップテーブル
１１３・・整形制御ブロック
１１５、１１９・・・乗算器
１０７、１１２、１１４、１１６、１１７、１１８、１２０、１２１、１２２
・・・ライン
２０２、２０４、２０６・・・プロット
２１４、２１９・・・シェーピング関数
２１０、２１１、２１２、２１３、２１６、２１８、２２０・・・トレース
【図１】
2015507898.tif 000003
【図２（ａ）】
2015507898.tif 000004
【図２（ｂ）】
2015507898.tif 000005
【図３】
2015507898.tif 000006
【図４（ａ）】
2015507898.tif 000007
【図４（ｂ）】
2015507898.tif 000008
【図５】
2015507898.tif 000009
【図６】
2015507898.tif 000010
【図７】
2015507898.tif 000011
【図８】
2015507898.tif 000012
【図９】
2015507898.tif 000013
【国際調査報告】
2015507898.tif 000014
2015507898.tif 000015